(57)【要約】【課題】上記従来技術の課題を解決し、灯火器の大型化を招くことなくレンズにかかる応力を低減することが可能な車両用灯火器を提供する。【解決手段】レンズ２０と、バルブ４０を支持すると共にレンズ２０が取り付けられるハウジング３０と、締結ねじ５０を介してレンズ２０をハウジング３０に取り付ける際に用いられる係合突起３４および係合溝２２とを備える。係合突起３４をレンズ２０またはハウジング３０の一方側に設け、係合溝２２をレンズ２０またはハウジング３０の他方側に設ける。係合突起３４および係合溝２２を互いに係合させた状態でレンズ２０をハウジング３０に対して所定角度回動させることで、レンズ２０が所定の固定位置に収まるように構成する。レンズ２０が所定の固定位置にあるときに、締結ねじ５０をハウジング３０に螺合することでレンズ２０の回動動作が不能となるように構成する。【選択図】図５
2014013662.tif 000002
【特許請求の範囲】
【請求項１】
発光源であるバルブ（４０）の光を透過するレンズ（２０）と、前記バルブ（４０）を支持すると共に前記レンズ（２０）が取り付けられるハウジング（３０）と、締結手段（５０）を介して前記レンズ（２０）を前記ハウジング（３０）に取り付けるための係合部（３４）および被係合部（２２）とを備えた車両用灯火器において、
前記係合部（３４）は、前記レンズ（２０）またはハウジング（３０）の一方側に設けられ、
前記被係合部（２２）は、前記レンズ（２０）またはハウジング（３０）の他方側に設けられ、
前記係合部（３４）および被係合部（２２）は、前記レンズ（２０）と前記ハウジング（３０）とを光軸方向に嵌合させてから前記レンズ（２０）を前記ハウジング（３０）に対して所定角度回動させることで、前記レンズ（２０）が所定の固定位置に収まるように構成されており、
前記レンズ（２０）が前記所定の固定位置にあるときに前記締結手段（５０）を前記ハウジング（３０）に螺合させることで、前記レンズ（２０）を係合が外れる方向に回動させようとしても前記レンズ（２０）の内側が前記締結手段（５０）の先端（５０ａ）と当接して前記レンズ（２０）の回動動作が不能となるように構成されていることを特徴とする車両用灯火器。
【請求項２】
前記締結手段（５０）は、前記ハウジング（３０）側から前記レンズ（２０）側に向かって前記ハウジング（３０）のみに螺合するねじ部材であることを特徴とする請求項１に記載の車両用灯火器。
【請求項３】
前記ハウジング（３０）の外周面に、前記螺合した締結部材（５０）が突出しないようにするための凹部（５５）が形成されていることを特徴とする請求項２に記載の車両用灯火器。
【請求項４】
前記凹部（５５）が、前記ハウジング（３０）の車体下方側に設けられていることを特徴とする請求項３に記載の車両用灯火器。
【請求項５】
前記レンズ（２０）の内側に、前記締結手段（５０）の先端（５０ａ）と当接することで前記レンズ（２０）の回動動作を不能とする係止手段（２４）が設けられていることを特徴とする請求項１ないし３のいずれかに記載の車両用灯火装置。
【請求項６】
前記締結手段（５０）を前記ハウジング（３０）に螺合させても、前記締結手段（５０）の先端（５０ａ）が、前記ハウジング（３０）と前記レンズ（２０）との当接面（Ｐ）よりレンズ（２０）側に突出しないように構成されており、
前記係止手段（２４）は、前記レンズ（２０）の内側であって前記ハウジング（３０）とレンズ（２０）との当接面（Ｐ）よりも少なくとも前記ハウジング（３０）側に延びるように立設して前記締結部材（５０）の側面に当接する係止板（２４）からなることを特徴とする請求項５に記載の車両用灯火装置。
【請求項７】
前記締結部材（５０）が前記灯火装置の車体下方側に配設されており、
前記ハウジング（３０）とレンズ（２０）との当接部であって、前記灯火装置の下面視で前記締結部材（５０）と重なる位置に、レンズ側水抜き用切欠き（２３）およびハウジング側水抜き用切欠き（３６）が形成されることを特徴とする請求項１ないし６のいずれかに記載の車両用灯火装置。
【請求項８】
前記係止板（２４）は湾曲していることを特徴とする請求項６に記載の車両用灯火装置。
【発明の詳細な説明】
【技術分野】
【０００１】
本発明は、車両用灯火器に係り、特に、自動二輪車等の車両に適用される車両用灯火器に関する。
【背景技術】
【０００２】
従来から、発光源としてのバルブを保持する容器状のハウジングの開口部に、バルブの照射光を透過する無色透明または有色透明のレンズを取り付けてなる車両用灯火器が知られている。
【０００３】
特許文献１には、レンズの周縁に設けられたフランジ状部に貫通孔を設け、この貫通孔を通るねじ頭付きの取付ねじをレンズ側からハウジングに螺合することによって、レンズをハウジングに固定するようにした自動二輪車用のウインカ装置（図５参照）が開示されている。
【先行技術文献】
【特許文献】
【０００４】
【特許文献１】実公平３−１８２８１号公報
【発明の概要】
【発明が解決しようとする課題】
【０００５】
しかしながら、特許文献１に記載されたウインカ装置では、取付ねじがレンズの外側からハウジングに向かって螺合するので、取付ねじを締めつける際にレンズ側の締結部にかかる応力が大きくなってしまう可能性がある。この課題に対しては、レンズ側の締結部の数を増やして応力を分散すればよいが、そうすると灯体の大型化を招くこととなる。
【０００６】
本発明の目的は、上記従来技術の課題を解決し、灯火器の大型化を招くことなくレンズにかかる応力を低減することが可能な車両用灯火器を提供することにある。
【課題を解決するための手段】
【０００７】
前記目的を達成するために、本発明は、発光源であるバルブ（４０）の光を透過するレンズ（２０）と、前記バルブ（４０）を支持すると共に前記レンズ（２０）が取り付けられるハウジング（３０）と、締結手段（５０）を介して前記レンズ（２０）を前記ハウジング（３０）に取り付けるための係合部（３４）および被係合部（２２）とを備えた車両用灯火器において、前記係合部（３４）は、前記レンズ（２０）またはハウジング（３０）の一方側に設けられ、前記被係合部（２２）は、前記レンズ（２０）またはハウジング（３０）の他方側に設けられ、前記係合部（３４）および被係合部（２２）は、前記レンズ（２０）と前記ハウジング（３０）とを光軸方向に嵌合させてから前記レンズ（２０）を前記ハウジング（３０）に対して所定角度回動させることで、前記レンズ（２０）が所定の固定位置に収まるように構成されており、前記レンズ（２０）が前記所定の固定位置にあるときに前記締結手段（５０）を前記ハウジング（３０）に螺合させることで、前記レンズ（２０）を係合が外れる方向に回動させようとしても前記レンズ（２０）の内側が前記締結手段（５０）の先端（５０ａ）と当接して前記レンズ（２０）の回動動作が不能となるように構成されている点に第１の特徴がある。
【０００８】
また、前記締結手段（５０）は、前記ハウジング（３０）側から前記レンズ（２０）側に向かって前記ハウジング（３０）のみに螺合するねじ部材である点に第２の特徴がある。
【０００９】
また、前記ハウジング（３０）の外周面に、前記螺合した締結部材（５０）が突出しないようにするための凹部（５５）が形成されている点に第３の特徴がある。
【００１０】
また、前記凹部（５５）が、前記ハウジング（３０）の車体下方側に設けられている点に第４の特徴がある。
【００１１】
また、前記レンズ（２０）の内側に、前記締結手段（５０）の先端（５０ａ）と当接することで前記レンズ（２０）の回動動作を不能とする係止手段（２４）が設けられている点に第５の特徴がある。
【００１２】
また、前記締結手段（５０）を前記ハウジング（３０）に螺合させても、前記締結手段（５０）の先端（５０ａ）が、前記ハウジング（３０）と前記レンズ（２０）との当接面（Ｐ）よりレンズ（２０）側に突出しないように構成されており、前記係止手段（２４）は、前記レンズ（２０）の内側であって前記ハウジング（３０）とレンズ（２０）との当接面（Ｐ）よりも少なくとも前記ハウジング（３０）側に延びるように立設して前記締結部材（５０）の側面に当接する係止板（２４）からなる点に第６の特徴がある。
【００１３】
また、前記締結部材（５０）が前記灯火装置の車体下方側に配設されており、前記ハウジング（３０）とレンズ（２０）との当接部であって、前記灯火装置の下面視で前記締結部材（５０）と重なる位置に、レンズ側水抜き用切欠き（２３）およびハウジング側水抜き用切欠き（３６）が形成される点に第７の特徴がある。
【００１４】
さらに、前記係止板（２４）は湾曲している点に第８の特徴がある。
【発明の効果】
【００１５】
第１の特徴によれば、係合部は、レンズまたはハウジングの一方側に設けられ、被係合部は、レンズまたはハウジングの他方側に設けられ、係合部および被係合部は、レンズとハウジングとを光軸方向に嵌合させてからレンズをハウジングに対して所定角度回動させることで、レンズが所定の固定位置に収まるように構成されており、レンズが所定の固定位置にあるときに締結手段をハウジングに螺合させることで、レンズを係合が外れる方向に回動させようとしてもレンズの内側が締結手段の先端と当接してレンズの回動動作が不能となるように構成されているので、締結手段をレンズ側に螺合させることなくレンズとハウジングとを固定することが可能となり、ハウジングにレンズを取り付ける際に締結手段によってレンズに応力が生じることがなくなる。これにより、レンズ側の締結箇所を増やして応力を分散する必要がなくなるので、灯火器の小型化が可能となる。また、締結手段は、レンズの回動動作を不能とする強度を有していればよいため、締結手段を小型化して締結手段を目立ちにくくし、外観性を向上させることができる。
【００１６】
第２の特徴によれば、締結手段は、ハウジング側からレンズ側に向かってハウジングのみに螺合するねじ部材であるので、レンズの外側から締結手段が外観されにくくなり、灯火器の外観性を向上させることが可能となる。また、締結手段がレンズの発光面に対して略垂直に螺合されることで、締結手段が発光面に与える影響を最小限に抑え、十分な発光面積を確保することができる。
【００１７】
第３の特徴によれば、ハウジングの外周面に、螺合した締結部材が突出しないようにするための凹部が形成されているので、締結部材を目立たなくして外観性を向上させると共に、灯火器の大型化を防ぐことが可能となる。
【００１８】
第４の特徴によれば、凹部が、ハウジングの車体下方側に設けられているので、凹部おより締結部材をより目立たなくして外観性を向上させることができる。
【００１９】
第５の特徴によれば、レンズの内側に、締結手段の先端と当接することでレンズの回動動作を不能とする係止手段が設けられているので、簡単な構成によって、レンズの回動動作を不能とすることが可能となる。
【００２０】
第６の特徴によれば、締結手段をハウジングに螺合させても、締結手段の先端が、ハウジングとレンズとの当接面よりレンズ側に突出しないように構成されているので、レンズの外観性に影響を与えることなく、係止孔および係止板によってレンズの回動動作を不能とすることができる。また、係止手段は、レンズの内側であってハウジングとレンズとの当接面よりも少なくともハウジング側に延びるように立設して締結部材の側面に当接する係止板からなるので、透過部材であるレンズの外方から締結部材が透けて視認される可能性も低減され、灯火器の外観性を高めることができる。
【００２１】
第７の特徴によれば、締結部材が灯火装置の車体下方側に配設されており、ハウジングとレンズとの当接部であって、灯火装置の下面視で締結部材と重なる位置に、レンズ側水抜き用切欠きおよびハウジング側水抜き用切欠きが形成されるので、灯火器下部に水抜き孔が設けられることでハウジング内の水を抜けやすくすることができる。また、切欠きと締結部材とを下面視にて重ねるようにしたので、水抜き孔としての実質的な通路太さを細くすることができ、外部からの水やほこりの侵入を抑えることができる。さらに、通路を細く設定する場合でも、ハウジングを形成するための金型に細い箇所を設ける必要ないので、金型のメンテナンスサイクルを延ばすことができる。
【００２２】
第８の特徴によれば、係止板は湾曲しているので、高い剛性を得やすく、レンズ側水抜き用切欠き２３の上に覆いかぶさるように湾曲しているので、水、埃等の侵入を抑えることが可能となる。
【図面の簡単な説明】
【００２３】
【図１】本発明の一実施形態に係る車両用灯火器としてのウインカ装置を適用した自動二輪車の左側面図である。
【図２】ウインカ装置の正面図である。
【図３】図２の３−３線断面図である。
【図４】ウインカ装置の底面図である。
【図５】図２の５−５線断面図である。
【図６】図２の６−６線断面図である。
【図７】ハウジングの斜視図である。
【図８】レンズの斜視図である。
【図９】レンズの背面図および側面図である。
【図１０】図２の１０−１０線断面図である。
【図１１】本実施形態の変形例に係るウインカ装置の断面図である。
【図１２】図３のＡ部分の拡大図である。
【図１３】図１１のＢ部分の拡大図である。
【発明を実施するための形態】
【００２４】
以下、図面を参照して本発明の好ましい実施の形態について詳細に説明する。図１は、本発明の一実施形態に係る本発明の一実施形態に係る車両用灯火器としてのウインカ装置を適用した自動二輪車１の左側面図である。車体フレーム９の前端のヘッドパイプ２には、左右一対のフロントフォーク７を操舵可能とするためのステアリングステム（不図示）が回動自在に支持されている。フロントフォーク７の下端部には前輪ＷＦが回転自在に軸支されており、フロントフォーク７の上端部には、操向ハンドル３およびメータ装置４が取り付けられている。ヘッドパイプ２の車体前側にはヘッドライト６が設けられており、このヘッドライト６の車幅方向左右に、本願発明に係る車両用灯火器としてのウインカ装置５が左右一対で取り付けられている。
【００２５】
車体フレーム９を構成するメインフレーム１４とアンダフレーム８との間には、Ｖ型２気筒のエンジン１０が配設されている。エンジン１０の前後気筒の間には、燃料噴射装置およびエアクリーナボックスを含む吸気装置１８が配設されている。エンジン１０の車体後方で車体フレーム９には、スイングアーム１２を揺動自在に軸支するピボット１１が設けられている。スイングアーム１２の後端には、駆動輪としての後輪ＷＲが回転自在に軸支されている。エンジン１０の回転駆動力は、シャフトドライブ機構を介して後輪ＷＲに伝達される。
【００２６】
エンジン１０の上方には、メインフレーム１８をまたぐようにして燃料タンク１３が取り付けられており、その後方下部にはシート１５が配設されている。シート１５の後部で後輪ＷＲの上方には、リヤフェンダ１６が設けられており、その後端部に、尾灯装置１７および左右一対のウインカ装置５が取り付けられている。本実施形態において、前側のウインカ装置５と後側のウインカ装置５とは共通部品で構成することができる。
【００２７】
図２は、ウインカ装置５の正面図である。また、図３は図２の３−３線断面図であり、図４はウインカ装置５の底面図である。以下、車体前側用のウインカ装置５として説明するが、車体後側用も同じ構造とされる。ウインカ装置５は、アルミ等の金属からなるハウジング３０の内部に発光源としてのバルブ４０を保持し、このハウジング３０の開口部にバルブ４０の照射光を透過するレンズ２０を固定して構成されている。
【００２８】
ハウジング３０は、いわゆる砲弾形状を有する容器状の本体部３１と、車体に取り付けるための筒状の車体取付部３２とからなる。本実施形態では、バルブ４０に白熱電球を適用すると共にレンズ２０を橙色透明の樹脂等を適用しているが、例えば、バルブ４０の表面を橙色に着色すると共にレンズ２０に無色透明のクリアタイプを使用したり、白熱電球に替えて橙色のＬＥＤを適用してもよい。
【００２９】
本実施形態に係るウインカ装置５は、ハウジング３０とレンズ２０との間の締結構造に特徴がある。具体的には、ハウジング３０およびレンズ２０に設けられた係合部としての係合突起および被係合部としての係合溝からなる係合機構によって互いに仮留めした状態で、締結手段としての締結ねじ５０をハウジング３０側から該ハウジング（３０）にのみ螺合することにより、締結ねじ５０をレンズ２０に螺合させることなく、レンズ２０がハウジング３０から外れなくなるように構成されている。
【００３０】
ウインカ装置５のレンズ２０は、正面視円形の有底円筒状とされている。ハウジング３０の本体部３１の内周部分には、左右一対の係合突起３４が形成されており、この係合突起３４がレンズ２０に形成された左右一対の係合溝２２（図９参照）に係合するように構成されている。係合溝２２は、直角に屈曲したいわゆるＬ字状に形成されており、ハウジング３０にレンズ２０を取り付ける際には、係合突起３４と係合溝２２とが係合するようにハウジング３０の開口部にレンズ２０を光軸方向に動かして嵌めた後、レンズ２０を図示半時計方向に所定角度回動させることで、レンズ２０が所定の固定位置に収まるように構成されている。
【００３１】
そして、レンズ２０が所定の固定位置に収まった状態で、ハウジング３０側からレンズ２０側に向かって、すなわち、車体後方側から車体前方に向かって締結ねじ５０を螺合させると、その後は、レンズ２０に設けられた係止手段としての係止板２４に当接する締結ねじ５０がストッパとして機能して、レンズ２０を車体正面視で時計方向に回すことができなくなる。したがって、締結ねじ５０をレンズ２０に螺合することなくレンズ２０が固定されることとなり、レンズ２０に締付応力が生じることがなく、かつ締結ねじ５０がレンズ２０側から視認されにくく、外観性に優れた小型なウインカ装置５が得られる。
【００３２】
図３を参照して、ハウジング３０の本体部３１には、バルブ４０のソケット４１を固定する支持板４５、スプリング４３の付勢力によってソケット４１に押し付けられる電極板４２、スプリング４３および電極板４２の位置を規制する底壁４８が配設されている。電極板４２に電力を供給するハーネス４４は、ハウジング３０の車体取付部３２に挿嵌された支持部材４６に形成された中空孔および塞栓部材４８の中空孔を通って車体側に導かれる。本体部３１とレンズ２０との間には、環状のシール部材３３が配設される。また、図１２のＡ部分の拡大図にも示すように、ハウジング３０側の係合突起３４は、ハウジング３０側に嵌合されるレンズ２０の環状部２１に形成された係合溝２２に係合されている。
【００３３】
図４を参照して、ハウジング３０の本体部３１の車体下方側の位置には、締結ねじ５０を螺合する際のガイドとして機能すると共に、螺合した後に締結ねじ５０が本体部３１の外周面から突出しないようにするための凹部５５が設けられている。この凹部５５の車体前方側には、ハウジング側水抜き用切欠き３６が形成されている。この底面図において、ハウジング側水抜き用切欠き３６からは、締結ねじ５０の先端５０ａが視認できる。
【００３４】
図５は、図２の５−５線断面図である。また、図６は図２の６−６線断面図であり、図７はハウジング３０の斜視図であり、図８はレンズ２０の斜視図であり、図９はレンズ２０の背面図（ａ）および側面図（ｂ）である。前記と同一符号は、同一または同等部分を示す。支持板４５は、２本の固定ねじ４７によってハウジング３０の本体部３１の底壁４８に固定されている。
【００３５】
図７を参照して、本体部３１の内側には、凹部５５の裏面側である凸部３７が設けられており、この凸部３７の一端部に、締結ねじ５０が螺合する雌ねじ孔３８が形成されている。この雌ねじ孔３８に締結ねじ５０を螺合すると、その先端部５０ａ（図４参照）がレンズ２０側に向かって突出することとなる。本体部６１に嵌入される環状のシール部材３３は、柱状の複数のリブ３５によって所定位置に収められている。そして、このシール部材３３より開口端寄りの位置に、左右一対の係合突起３４およびハウジング側水抜き用切欠き３６が設けられている。本体部３１および車体取付部３２は、金属の薄板部材による一体成型部品であり、両者の間には中空孔３９が連通している。
【００３６】
図８を参照して、レンズ２０には、当接面Ｐからハウジング３０側に延出してハウジング３０側に挿入される環状部２１が形成されており、該環状部２１の外周面には、係合突起３４が係合する係合溝２２が形成されている。係合溝２２の径方向内側の位置には、係合溝２２により薄くなった肉厚を補うための板厚部２５が設けられている。そして、レンズ２０の内側で車体下方側の位置に、レンズ側水抜き用切欠き２３および係止手段としての係止板２４が形成されている。レンズ側水抜き用切欠き２３は、ハウジング３０内の水分を外部に排出する水抜き孔として機能する。また、係止板２４は、螺合された際に締結ねじ５０に当接することでレンズ２０の回動動作を禁止する機能を有するが、レンズ２０を所定の固定位置に収めて締結ねじ５０を螺合した時点で、締結ねじ５０の先端５０ａは、レンズ側水抜き用切欠き２３および係止板２４のいずれにも接触しないように設定されている。
【００３７】
レンズ側水抜き用切欠き２３は、環状部２１に形成されている。また、係止板２４は、レンズ２０の内側であってハウジング３０とレンズ２０との当接面Ｐよりも少なくともハウジング３０側に延びるように立設して締結部材５０の側面に当接するように形成されている。係止板２４は、湾曲して形成されているので高い剛性を得やすく、さらに、レンズ側水抜き用切欠き２３の上に覆いかぶさるように湾曲しているので、水、埃等の侵入を抑えることが可能となる。
【００３８】
図５を参照して、ハウジング３０側の凸部３７の上面と、レンズ２０側の係止板２４の上面とは、略同じ高さに設定されており、両者の間には隙間５１が設定されている。ウインカ装置５の内部に水分が浸入した場合には、締結ねじ５０の先端５０ａとレンズ側水抜き用切欠き２３との間に形成されるわずかな隙間を通った後に、ハウジング３０に形成されたハウジング側水抜き用切欠き３６およびレンズ２０の端面からなる孔から外部に排出されることとなる。
【００３９】
図１０は、図３の１０−１０線断面図である。前記と同一符号は、同一または同等部分を示す。前記したように、ハウジング３０にレンズ２０を係合させる際には、係合溝２２の形状に合わせて、レンズ２０を車体前方からハウジング３０の開口部に挿入し、続いて、レンズ２０を車体正面視で半時計まわりに回動させることで、レンズ２０が所定の固定位置に収まる。この状態で、車体後方側から締結ねじ５０をハウジング３０に螺合させると、今度はレンズ２０を時計まわりに回動させようとしても、締結ねじ５０が係止板２４に干渉してレンズ２０を回動させることができないため、実質的にレンズ２０が所定の固定位置で保持されることとなる。
【００４０】
図１１は、本実施形態の変形例に係るウインカ装置５ａの断面図である。前記と同一符号は、同一または同等部分を示す。図１３のＢ部分の拡大図にも示すように、ハウジング３０とレンズ２０との係合構造は、レンズ２０側に係合突起３４ａを設けると共に、ハウジング３０側に係合溝２２ａを設けるようにしてもよい。なお、係合溝２２ａには、所定の固定位置まで回動させると引っ掛かるフック部分を設けたり、レンズの回動動作に伴ってハウジングとの距離が小さくなる螺旋形状を適用することもできる。
【００４１】
なお、ハウジングおよびレンズの材質や形状、ハウジングおよびレンズに形成された係合部および被係合部の構造や形状、係止板からなる係止手段の形状、水抜き用切欠きの形状、シール部材の材質や形状、雌ねじ孔および締結ねじの形態や形状等は、上記実施形態に限られず、種々の変更が可能である。例えば、締結ねじに当接する係止板を、締結ねじの両側面に位置する一対の板としたり、締結ねじを囲む環状の板としてもよい。また、ハウジングを樹脂等で形成すると共に、締結ねじにタッピングねじを適用してもよい。さらに、締結ねじおよびハウジング側の雌ねじに替えて、ねじ構造を持たない締結ピンが係合構造によってハウジング側に固定される構造としてもよい。本発明に係る車両用灯火器は、自動二輪車に限られず、鞍乗型の三／四輪車等の各種車両に適用することが可能である。
【符号の説明】
【００４２】
１…自動二輪車（車両）、５…ウインカ装置、２０…レンズ、２１…環状部、２２…係合溝（被係合部）、２３…レンズ側水抜き用切欠き、２４…係止板（係止手段）、３０…ハウジング、３１…本体部、３２…車体取付部、３３…シール部材、３４…係合突起（係合部）、３５…リブ、３６…ハウジング側水抜き用切欠き、３７…凸部、３８…雌ねじ孔、４０…バルブ（発光源）、４２…電極板、４３…スプリング、４４…ハーネス、４５…支持板、５０…締結部材（締結ねじ）、５５…凹部
【図１】
2014013662.tif 000003
【図２】
2014013662.tif 000004
【図３】
2014013662.tif 000005
【図４】
2014013662.tif 000006
【図５】
2014013662.tif 000007
【図６】
2014013662.tif 000008
【図７】
2014013662.tif 000009
【図８】
2014013662.tif 000010
【図９】
2014013662.tif 000011
【図１０】
2014013662.tif 000012
【図１１】
2014013662.tif 000013
【図１２】
2014013662.tif 000014
【図１３】
2014013662.tif 000015